(57)【要約】【課題】イオン発生機の機体内に組み込むマイナスイオン発生装置の、イオン発生部となるニードルを、それに無理な力を加えることなく保持して所定の個所に配設し得るようにし、かつ、保持するニードルから発生させたマイナスイオンの、風洞内を流れる風による運び出しが、風の流れに阻害を生ぜしめることなく効果的に行われるようにする。【解決手段】帯板状の取付板７０の一端側に、風洞ｄの内壁面に対し組み付ける組付部７１を形成し、他端側には、軸芯線が帯板状の取付板７０の板面に平行するＵ字状の筒状部７２を設けて取付金具ｃを構成し、この取付金具ｃを、それの取付板７０の板面の方向とＵ字状の筒状部７２の軸線方向とが、前記風洞ｄの軸芯線の方向に沿う姿勢として風洞ｄ内に配位し、取付板７０の一端側の組付部７１を風洞ｄの内壁面に組み付け、下端側のＵ字状の筒状部７２に、ニードルｂの先端部位を挿入し、筒状部７２内に固定保持せしめる。【選択図】図１８
0003134322.tif 000002
【実用新案登録請求の範囲】
【請求項１】
アルミ材等の軽金属材で帯板状の取付板（７０）を形成し、それの一端側に、機体（１）に装架せる風洞（ｄ）の内壁面に対し組み付ける組付部（７１）を形成し、他端側には、軸芯線が帯板状の取付板（７０）の板面に平行するＵ字状の筒状部（７２）を設けて取付金具（ｃ）を構成し、この取付金具（ｃ）を、それの取付板（７０）の板面の方向とＵ字状の筒状部（７２）の軸線方向とが、前記風洞（ｄ）の軸芯線の方向に沿う姿勢として風洞（ｄ）内に配位し、取付板（７０）の一端側の組付部（７１）を風洞（ｄ）の内壁面に対し組み付け、下端側のＵ字状の筒状部（７２）に、シリコン被覆線（２）で被覆したニードル（ｂ）の先端部位を挿入し、筒状部（７２）のかしめ加工により筒状部（７２）内に固定保持せしめることを特徴とするマイナスイオン発生機におけるニードルの取付装置。
【考案の詳細な説明】
【技術分野】
【０００１】
本考案は、箱状に形成した機体内に、ニードル（電極）に高圧の電圧をかけ電子を放射せしめてマイナスイオンを発生させるマイナスイオン発生装置と、発生させたマイナスイオンを運び出す風洞およびファンとを組み込んで構成し、発生させたマイナスイオンをファンにより吹き出して室内の空気の環境を良好にするように用いるイオン発生機において、マイナスイオンを発生させるニードルを所定位置に設置せしめるためのニードルの取付装置についての改良に関する。
【背景技術】
【０００２】
マイナスイオン発生機は、箱状に形成した機体の内部に、ニードル（電極）に高圧の電圧をかけることで、そのニードルから電子を放射してマイナスイオンを発生させるイオン発生装置と、発生させたマイナスイオンを室内に放出させるファンｆを組み込んだ風洞を組み込んで構成し、ニードル（電極）に高圧の電圧をかけて発生させたマイナスイオンを、ファンを組み合わせた風洞ｄの作動で室内の遠くの個所に到達させるように放出して、プラスイオンを中和し、室内の空気環境を爽快感にひたれる状態に保持するように用いられるものである。
【０００３】
このイオン発生機の機体内に組み込まれるマイナスイオン発生装置は、通常、図１に示しているように、箱状に形成した機体１内に、圧電装置よりなるイオン発生ユニットａを装架し、これにシリコン被覆線を介して接続するニードル（電極）ｂを、取付金具ｃに支持せしめて、機体１に設けておく風洞ｄ内に配位することで構成し、これにより、ニードルｂから電子を放射せしめてマイナスイオンを発生させ、それを風洞ｄに組み合わせたファンｆにより搬び出すようにしている。
【０００４】
このマイナスイオン発生装置Ａは、それのイオン発生部となるニードル（電極）は、デリケートなもので、無理な力を加えると性能が低下する性状のものであることから、それを保持して所定の位置に設置するための取付金具には、ニードルに対し無理な力を加えることのない形状・構成のものであることが要求される。
【０００５】
このことから、このニードルの取付構造は、従前にあっては、図２乃至図５に示しているように、ニードルのコードをシリコンで被覆したシリコン被覆線２の先端側で、シリコンチューブ２０の嵌装した部分の外周を、リング状に成形したニードル取付ゴム２１により巻き締めるように保持せしめ、この取付ゴム２１の外周に、取付金具ｃの座板状に形成した保持板３０の中心穴を、取付ゴム２１の弾性により圧入して嵌合することで、取付金具ｃに支持せしめ、保持板３０に連続する取付板部３１により所定の場所に設置するようにしている。
【０００６】
この従前手段には、取付金具ｃ、リング状に形成したニードル取付ゴムを用いているため、ファン吹き出し方向に対して壁状になり、風の通り道を阻害するため、風の抵抗が大きくなり風量の低下をきたす問題がある。
【０００７】
また、マイナスイオン発生装置Ａは、イオン発生部となるニードルｂにおいて発生させたマイナスイオンを、ファンｆの作動により生成されて風洞ｄ内を流れる風により運び出して遠くに到達させるようにするため、その風洞ｄ内を流れる風の流れの中に、ニードルｂを配設することから、このニードルｂの取付金具には、風の流れを阻害しない形状・構造のものであることが要求される。
【０００８】
ところが、この従前手段は、イオン発生部となるニードルｂが、風洞ｄ内を流れる風の流れに対して直交する座板状の保持板３０に支持され、かつ、その風の流れ方向において、保持板３０を越したところにニードルｂが位置することから、発生させたマイナスイオンの風による運び出しが阻害されるようになる問題がある。
【考案の開示】
【考案が解決しようとする課題】
【０００９】
本考案において解決しようとする課題は、イオン発生機の機体内に組み込むマイナスイオン発生装置の、イオン発生部となるニードルを、それに無理な力を加えることなく保持して所定の個所に配設し得るようにし、かつ、保持するニードルから発生させたマイナスイオンの、風洞内を流れる風による運び出しが、風の流れに阻害を生ぜしめることなく効果的に行われるようにするニードルの取付手段を得ることにある。
【課題を解決するための手段】
【００１０】
上述の課題を解決するための手段として、本考案においては、アルミ材等の軽金属材で帯板状の取付板７０を形成し、それの一端側に、機体１に装架せる風洞ｄの内壁面に対し組み付ける組付部７１を形成し、他端側には、軸芯線が帯板状の取付板７０の板面に平行するＵ字状の筒状部７２を設けて取付金具ｃを構成し、この取付金具ｃを、それの取付板７０の板面の方向とＵ字状の筒状部７２の軸線方向とが、前記風洞ｄの軸芯線の方向に沿う姿勢として風洞ｄ内に配位し、取付板７０の一端側の組付部７１を風洞ｄの内壁面に対し組み付け、下端側のＵ字状の筒状部７２に、シリコン被覆線２で被覆したニードルｂの先端部位を挿入し、筒状部７２のかしめ加工により筒状部７２内に固定保持せしめることを特徴とするマイナスイオン発生機におけるニードルの取付装置を提起するものである。
【考案の効果】
【００１１】
本考案によるマイナスイオン発生機におけるニードル取付装置は、ニードルｂを保持する筒状部７２と、それを支持する取付板７０とが、ともに板面を風洞ｄの軸線と平行するようにしていることから、マイナスイオンを運び出す風の流れを阻害することがなく、また、ニードルｂは、シリコン被覆線２の外周がニードル取付ゴム２１を介してＵ字形の筒状部７２に嵌挿され、その筒状部７２のかしめ加工により保持されることで、無理な力が加えられずに保持され、性能の低下を抑止し得るようになる。
【考案を実施するための最良の形態】
【００１２】
次に本考案の実施の態様を、実施例につき図面に従い詳述する。
【実施例１】
【００１３】
図６は、本考案手段を実施せるイオン発生機Ｗの、前面側のパネル１０を取り外した状態における前面図、図７は同上状態の縦断した側面図で、これら図において、１は箱状に形成した機体、１０はその機体１の前面側に装脱自在に組み付けた前面側のパネル、Ａはその機体１内に組み込んだマイナスイオン発生装置、ａは同上装置Ａの圧電装置よりなるイオン発生ユニット、ｂは高圧の電圧が印加されることで電子を放射してマイナスイオンを発生させる同上マイナスイオン発生装置Ａのニードル、ｃはニードルｂを保持する取付金具、ｄはニードルｂから発生させたマイナスイオンを運び出す風洞、ｆは風洞ｄに組み合わせたファン、ｅは電源ユニット、Ｂはマイナスイオン発生装置Ａに併せて機体１内に組み込んだ消臭用オゾン発生装置を示す。
【００１４】
機体１は長方形状の箱状に形成してあり、それの内部は、棚設した棚板１１により上下に２分するよう区画され、上部側の区画内には、ファンｆを組み込んだ風洞ｄ・ｄが、左右に一対に並列して装設してあり、下部側の区画内には、電源ユニットｅと圧電装置よりなるイオン発生ユニットａとが、鉄板よりなるベース１２上に左右に並列するように組み付けられて、そのベース１２を介して装設してある。
【００１５】
前記風洞ｄ・ｄは、円筒状に形成した通常のものでそれの前端側の開放口は、機体１の前面側のパネル１０に設けた吐風口１３に接続連通し後端側の開放口は、機体１に装架したファンｆの排風側に接続し、そのファンｆの吸気側は、機体１の後面側のパネルに設けた吸気口１４に連通している。
【００１６】
そして、風洞ｄ・ｄの内腔には、軸芯線に平行する平板状の整風板ｇが設けられ、また、左右の風洞ｄ・ｄのうち、右側の風洞ｄは、この例においては、整風板ｇを、風洞ｄを上下に２分するように軸芯線を通る水平な仕切板状に設け、かつ、周壁は、この整風板ｇより下方に位置する部位を切除することで、半円筒状に形成してあり、前述の消臭用オゾン発生装置Ｂは、この半円筒状の風洞ｄの、切り欠かれた下半側の部位に配位して機体１の棚板１１の上面に組み付けてある。
【００１７】
この消臭用オゾン発生装置Ｂは、図８〜図１３に示している如く、基台となる基体部４と、放電部５とがそれぞれ別体に形成してあり、その基体部４は、左右に長いブロック状に形成してあって、それの左右の両端側には、該基体部４を機体１に対しネジ６により固定装着するためのネジ穴４０・４０が設けられ、中央部位には、放電部５に設けられる陽極となる電極板（グランド板）５０及び陰極となる電極針５１に対し電気的に接続するための接続口となるコンタクト挿入ソケット４１・４１が装設してある。
【００１８】
また、放電部５は、図１１乃至図１３に示しているように、左右に長いブロック状に形成してあり、前記基体部４に対面する後面側に電極針５１を設けた陰極板５１ａが組み付けられ、前面側に前記電極針５１と対応する陽極となるグランド板５０が取り付けられ、基体部４に対面する後面側には、グランド板５０に電気的に接続するピン状のコンタクト５２と、電極針５１に電気的に接続するピン状のコンタクト５２とが、左右に一対に並列するよう配位して組み付けてあって、放電部５を指先ｈでつまんで、この一対のコンタクト５２・５２を、前述の基体部４の前面側に左右に一対に設けたコンタクト挿入ソケット４１・４１に差し込み嵌合させることで、放電部５と基体部４とが一体的に結合して組み付けられるようにしてある。
【００１９】
マイナスイオン発生装置Ａは、機体１に装架した圧電装置よりなるイオン発生ユニットａで発生せしめた高圧の電圧を、ニードルｂにかけることで、そのニードルｂから電子を発生させる通常のものであり、それのイオン発生部となるニードルｂは、取付金具ｃに保持せしめて、前述の風洞ｄ内に配設してある。
【００２０】
その取付金具ｃは、アルミ材等の軽金属材で、図１５に示しているように、薄手の帯板状の取付板７０を形成し、それの上端側に、機体１に装架せる風洞ｄの内壁面に対し組み付ける組付部７１を、取付板７０から屈曲して座板状に形成し、下端側には、軸芯線の方向が帯板状の取付板７０の板面に平行するＵ字状の筒状部７２を形成することで構成してある。
【００２１】
そして、この取付金具ｃによるニードルｂの保持は、図３に示しているように、シリコンで被覆したニードルのコードの先端側でシリコンチューブ２０を嵌装した部分を、取付金具ｃの下端側のＵ字状の筒状部７２内に、図１６にあるように軸芯線の方向が筒状部７２の軸芯線に沿う姿勢として嵌挿し、この状態において、筒状部７２を、図１７にあるように、シリコンチューブ２０の外周を巻き込むようにかしめ加工することで行われている。
【００２２】
そしてまた、取付金具ｃに保持せしめたニードルｂは、取付金具ｃの上端側に設けた座板状の組付部７１を、風洞ｄの内壁面に対し組み付けることで、風洞ｄ内を流れる風の流れの中に位置するように機体１に対し組み付けるが、このとき、ニードルｂを保持した取付金具ｃは、取付板７０の板面および、筒状部７２の軸芯線ならびに、この筒状部７２に保持せしめたニードルｂの軸線が、風洞ｄの軸芯線に沿う姿勢として、組付部７１を図１８にあるように風洞ｄの内壁面に対し組み付けることで行い、これにより、ニードルｂが取付金具ｃに保持されて機体１に対し所定位置に設置されるようにしている。
【００２３】
この実施例によるニードルｂの取付手段は、ニードルｂを保持するための筒状部７２のかしめ加工が、シリコンチューブ２０を抱き込むように筒状部７２を折り曲げ加工することでよいので、ニードルｂに力を加えることなく保持せしめ得るようになり、また、取付板７０の板面及び筒状部７２の外面が、風の流れに沿うようになるので、風の流れを阻害することなくニードルｂを取り付け得るようになる。
【図面の簡単な説明】
【００２４】
【図１】従前のイオン発生機の前面側のパネルを開放した状態の前面図である。
【図２】同上イオン発生機のイオン発生部に用いられるニードルの正面図である。
【図３】同上ニードルの側面図である。
【図４】同上ニードルの取付金具に保持せしめた状態の正面図である。
【図５】同上ニードルの同上状態の側面図である。
【図６】本考案を実施せるイオン発生機の、前面側のパネルを開放した状態の前面図である。
【図７】同上イオン発生機の同上状態における縦断側面図である。
【図８】同上イオン発生機の消臭用オゾン発生装置の基体部の平面図である。
【図９】同上の基体部の側面図である。
【図１０】同上の基体部の正面図である。
【図１１】同上イオン発生機の消臭用オゾン発生装置の放電部の平面図である。
【図１２】同上の放電部の正面図である。
【図１３】同上の放電部の側面図である。
【図１４】同上の基体部に対する放電部の組み付けおよび取り外しの操作の説明図である。
【図１５】同上イオン発生機のニードルを保持さす取付金具の斜視図である。
【図１６】同上の取付金具の筒状部にニードルを挿入した状態の正面図である。
【図１７】同上取付金具の筒状部にかしめ加工を施してニードルを筒状部に保持せしめた状態の正面図である。
【図１８】同上の取付金具を風洞の内壁面に組み付けた状態の斜視図である。
【符号の説明】
【００２５】
Ａ  マイナスイオン発生装置
Ｂ  消臭用オゾン発生装置
Ｗ  イオン発生機
ａ  イオン発生ユニット
ｂ  ニードル
ｃ  取付金具
ｄ  風洞
ｅ  電源ユニット
ｆ  ファン
ｇ  整風板
ｈ  手
１  機体
１０  パネル
１１  棚板
１２  ベース
１３  吐風口
１４  吸気口
２  シリコン被覆線
２０・２０  シリコンチューブ
２１・２１  取付ゴム
３０  保持板
３１  取付板部
４  基体部
４０・４０  ネジ穴
４１・４１  コンタクト挿入ソケット
５  放電部
５０  陽極となる電極板（グランド板）
５１  陰極となる電極針
５１ａ  陰極板
５２・５２  コンタクト
６  ネジ
７０  取付板
７１  組付部
７２  筒状部
【図１】
0003134322.tif 000003
【図２】
0003134322.tif 000004
【図３】
0003134322.tif 000005
【図４】
0003134322.tif 000006
【図５】
0003134322.tif 000007
【図６】
0003134322.tif 000008
【図７】
0003134322.tif 000009
【図８】
0003134322.tif 000010
【図９】
0003134322.tif 000011
【図１０】
0003134322.tif 000012
【図１１】
0003134322.tif 000013
【図１２】
0003134322.tif 000014
【図１３】
0003134322.tif 000015
【図１４】
0003134322.tif 000016
【図１５】
0003134322.tif 000017
【図１６】
0003134322.tif 000018
【図１７】
0003134322.tif 000019
【図１８】
0003134322.tif 000020